(57)【要約】【課題】開閉部材となる回動部材と固定部材とに対して、開閉部材を半自動タイプで動作させることができ、しかもこのような開閉機構の組立を容易に行えることができるようにした、開閉ユニットを提供する。【解決手段】固定部材に取り付けられる基板４と、基板４に回動可能に設けられ、かつ、回動部材に接続されて、その回動動作に連動して基板４に対して回動する第１ギアー５と、基板４に固定され、かつ、回動軸１３を有するとともに回動軸１３に対してトルクを付与する回転ダンパー６と、回動軸１３を介して回転ダンパー６に回動可能に取り付けられ、かつ、第１ギアー５に歯合する第２ギアー７と、基板４に設けられ、かつ、第１ギアー５を介して回動部材を固定部材に対して一方の方向に回動させるように、第１ギアー５に対して付勢する付勢部材８と、を備えてなる開閉ユニット１である。【選択図】図１
0003128787.tif 000002
【実用新案登録請求の範囲】
【請求項１】
固定部材と回動部材との間に取り付けられる開閉ユニットであって、
前記固定部材と回動部材とのうちの一方に取り付けられる基板と、
前記基板に回動可能に設けられ、かつ、前記固定部材と回動部材とのうちの他方に接続されて、前記固定部材に対する前記回動部材の回動動作に連動して前記基板に対して相対的に回動する第１ギアーと、
前記基板に固定され、かつ、回動軸を有するとともに該回動軸に対してトルクを付与する回転ダンパーと、
前記回動軸を介して前記回転ダンパーに回動可能に取り付けられ、かつ、前記第１ギアーに歯合する第２ギアーと、
前記基板に設けられ、かつ、前記第１ギアーを介して前記回動部材を前記固定部材に対して一方の方向に回動させるように、該第１ギアーに対して付勢する付勢部材と、を備えてなることを特徴とする開閉ユニット。
【請求項２】
前記回転ダンパーは、前記回動軸の一部を突出させた状態で該回動軸を回動可能に保持するハウジングと、前記ハウジング内に略円環状に配設された被摺動部と、前記回動軸に設けられ、かつ、前記ハウジング内にて前記被摺動部に対しその円周方向に沿って摺動可能に当接する摺動部と、を有し、前記被摺動部が、少なくとも前記摺動部に当接する当接部がエラストマー又は軟質ゴムからなり、その内部に気体が封入されてなるダンパーであることを特徴とする請求項１記載の開閉ユニット。
【請求項３】
前記基板には、前記第１ギアーの回動範囲を所定範囲に規制するストッパーが設けられていることを特徴とする請求項１又は２に記載の開閉ユニット。
【請求項４】
前記第１ギアーには、前記固定部材と回動部材とのうちの他方に設けられた第１係合部を着脱可能に保持するための、第２係合部が設けられていることを特徴とする請求項１〜３のいずれか一項に記載の開閉ユニット。
【考案の詳細な説明】
【技術分野】
【０００１】
本考案は、固定部材と、開閉部材となる回動部材との間に取り付けられる、開閉ユニットに関する。
【背景技術】
【０００２】
近年、オーディオ・ビジュアル機器等の電化製品では、リモートコントローラ（リモコン）の普及に伴い、電化製品に一体に設けられた操作部は通常時には使用しないため、これを開閉可能に覆う化粧カバーが取り付けられている。このような電化製品においては、化粧カバーなどの開閉部材について、その開き方向にバネ等の付勢部材を作用させることでその開き動作を自動的になさせ、閉じ動作は手動で行う半自動タイプのものが、高級感が得られるなどの理由で提供されつつある。
ところで、このような半自動タイプの開閉部材には、通常はその開閉時に適当なフリクションやトルクを与えつつ開閉させる必要があることから、各種のダンパーが取り付けられている。
【考案の開示】
【考案が解決しようとする課題】
【０００３】
しかしながら、前記のような開閉部材とこれを固定する固定部材にあっては、前記のダンパーを取り付けようとした場合に、このダンパー以外にも前記の付勢部材やさらにはギアー等の各種リンク部材を共に取り付ける必要があり、したがってその組立が難しく、生産性を損なう一因になっている。また、開閉部材の開き動作や閉じ動作については、これを予め設定した速さでなさせ、また予め設定したトルクを付与した状態でなさせる必要があるが、そのような調整を必要とすることからも、このような開閉機構の組立が一層難しくなっている。
【０００４】
本考案は前記事情に鑑みてなされたもので、その目的とするところは、開閉部材となる回動部材と固定部材とに対して、開閉部材を半自動タイプで動作させることができ、しかもこのような開閉機構の組立を容易に行えることができるようにした、開閉ユニットを提供することにある。
【課題を解決するための手段】
【０００５】
前記目的を達成するため本考案の開閉ユニットは、固定部材と回動部材との間に取り付けられる開閉ユニットであって、前記固定部材と回動部材とのうちの一方に取り付けられる基板と、前記基板に回動可能に設けられ、かつ、前記固定部材と回動部材とのうちの他方に接続されて、前記固定部材に対する前記回動部材の回動動作に連動して前記基板に対して相対的に回動する第１ギアーと、前記基板に固定され、かつ、回動軸を有するとともに該回動軸に対してトルクを付与する回転ダンパーと、前記回動軸を介して前記回転ダンパーに回動可能に取り付けられ、かつ、前記第１ギアーに歯合する第２ギアーと、前記基板に設けられ、かつ、前記第１ギアーを介して前記回動部材を前記固定部材に対して一方の方向に回動させるように、該第１ギアーに対して付勢する付勢部材と、を備えてなることを特徴としている。
なお、本考案において固定部材とは、絶対的に固定されたものとの意味ではなく、回動部材との間で相対的に固定されたものとの意味である。
【０００６】
この開閉ユニットによれば、基板上に第１ギアーを配設し、該第１ギアーに対して付勢力を作用させた状態で付勢部材を前記基板上に配設し、さらに該第１ギアーに対し第２ギアー及び回転軸を介して接続する回転ダンパーを前記基板上に配設しているので、単に固定部材と回動部材とのうちの一方に基板を取り付け、他方に第１ギアーを接続するだけで、回転ダンパー等からなる開閉機構の組み込みを行うことができ、したがってこれら固定部材と回動部材とを備えた開閉装置に対する開閉機構の組立が極めて容易になる。また、予め付勢部材の付勢力や回転ダンパーによるトルクの付与量を調整しておくことにより、回動部材（開閉部材）の開き動作や閉じ動作を予め設定した通りに調整しておくことができ、したがって開閉装置に対する開閉機構の組立がより一層容易になる。
【０００７】
また、前記開閉ユニットにおいては、前記回転ダンパーは、前記回動軸の一部を突出させた状態で該回動軸を回動可能に保持するハウジングと、前記ハウジング内に略円環状に配設された被摺動部と、前記回動軸に設けられ、かつ、前記ハウジング内にて前記被摺動部に対しその円周方向に沿って摺動可能に当接する摺動部と、を有し、前記被摺動部が、少なくとも前記摺動部に当接する当接部がエラストマー又は軟質ゴムからなり、その内部に気体が封入されてなるダンパーであるのが好ましい。
【０００８】
このようにすれば、被摺動部内に空気等の気体が封入されているので、たとえこれが漏れても他の部材を汚すなどといった不都合がなく、したがって従来のオイルダンパーが必須とするシール部材が不要となり、また、オイル等の粘性流体の注入工程も不要となることから、この回転ダンパーの組立性が向上し、したがって開閉ユニット自体の生産性が向上する。
また、ハウジングに対して回動軸を回動させると、その摺動部が被摺動部の当接部に対して摺動することで摩擦を生じ、これによって回転軸にトルクを発生し、ダンパー機能を発揮する。その際、被摺動部はその内部に気体が封入されているため、弾性変形に伴う弾性復帰力と、内部の気体により生じる一定な内圧とからなる反発力が、当接部に対して一定に付与されることにより、前記摺動部と当接部との間の摺動による摩擦力が被摺動部の全周に亘って一定となり、したがって一定のダンパー機能を発揮するようになる。
【０００９】
また、前記開閉ユニットにおいては、前記基板に、前記第１ギアーの回動範囲を所定範囲に規制するストッパーが設けられているのが好ましい。
このようにすれば、付勢部材による付勢力で第１ギアーを回動させ、これによって回動部材を相対的に回動させ、これを自動的に開いた際、ストッパーの位置等によって第１ギアの回動範囲を予め所定範囲に規制しているので、回動部材を所定の開き度で自動的に停止させることができる。
【００１０】
また、前記開閉ユニットにおいては、前記第１ギアーに、前記固定部材と回動部材とのうちの他方に設けられた第１係合部を着脱可能に保持するための、第２係合部が設けられているのが好ましい。
このようにすれば、第１ギアーに設けられた第２係合部を、固定部材と回動部材とのうちの他方に設けられた第１係合部に係合させることにより、この第１ギアーの固定部材あるいは回動部材への接続が可能になり、したがって開閉装置に対する開閉機構の組立がより容易になる。
【考案の効果】
【００１１】
本考案の開閉ユニットによれば、前記したように固定部材と回動部材とを備えた開閉装置に対する開閉機構の組立を容易にしているので、このような開閉装置の生産性を向上してその生産コストの低減化を図ることができる。また、特に電化製品のように高級感を付与したい製品に対し、その開閉部材（回動部材）を半自動で開閉させるとともに、該開閉部材に対して予め設定した付勢力、トルク量を付与することで、該開閉部材を所望の速さ、トルクで開閉動作をなさせることができるようにしたので、この開閉ユニットが取り付けられる製品に対し、高級感を十分に付与することができる。
【考案を実施するための最良の形態】
【００１２】
以下、本考案を詳しく説明する。
図１（ａ）、（ｂ）は、本考案の開閉ユニットの一実施形態を示す図であり、図１（ａ）、（ｂ）中符号１は開閉ユニットである。この開閉ユニット１は、本実施形態では図２（ａ）、（ｂ）に示すように、テレビ等の電化製品における操作部（図示せず）を収容する筐体（固定部材）２と、該筐体２の開口部２ａに開閉可能に取り付けられた開閉部材（回動部材）３との間に取り付けられるものである。
【００１３】
図１（ａ）、（ｂ）に示すようにこの開閉ユニット１は、樹脂等からなる基板４の一方の面側に、第１ギアー５と回転ダンパー６と第２ギアー７と付勢部材８とを備えて構成されたものである。第１ギアー５は、基板４に軸９を介して回動可能に取り付けられたもので、円の１／４に対応する形状、すなわち中心角を９０°とする略扇形状のもので、その円弧部となる外周側にギアー部５ａを形成したものである。
【００１４】
また、この第１ギアー５は、図１（ｂ）のＡ−Ａ線矢視側面図である図３（ａ）、及び図１（ｂ）のＢ−Ｂ線矢視側面図である図３（ｂ）に示すように、基板４に固定された台部材１０を介して該基板４に取り付けられている。この台部材１０には、前記軸９が回動可能に保持されており、このような構成のもとに第１ギアー５は、前述したように該軸９を介して基板４に回動可能に取り付けられているのである。
【００１５】
また、この第１ギアー５の上面側には、図１（ａ）、（ｂ）に示すように略Ｕ字状の第２係合部１１が、該第１ギアー５と一体に形成され、あるいは該第１ギアー５に接着や溶着等によって固定されている。この第２係合部１１は、本実施形態では、図２（ａ）、（ｂ）に示した前記開閉部材３に設けられた第１係合部（図示せず）を、一対の挟持片１１ａ、１１ａ間に着脱可能に保持するものである。
【００１６】
また、この第１ギアー５には、図３（ａ）、（ｂ）に示すようにその裏面（底面）側に、当接軸１２が固定されている。この当接軸１２は、前記付勢部材８に付勢され、これによって該付勢部材８の付勢力を第１ギアー５に伝達するためのものである。
付勢部材８は、トーションバネからなるもので、その一端側が基板４に保持固定され、その中央部が前記台部材１０を巻回した後、他端側が前記固定軸１２に当接してこれを押圧（付勢）するように形成配置されたものである。すなわち、この付勢部材８は、後述するように第１ギアー５が初期状態（筐体２に対して開閉部材３が閉じている状態）にあるとき、トーションバネの両端が互いに近接する方向に狭められ、これによって両端を拡げるように、つまりその他端側で前記固定軸１２を押圧するように、付勢するよう構成されたものである。
【００１７】
また、前記第１ギアー５には、図１（ａ）、（ｂ）に示すように、そのギアー部５ａに歯車状の第２ギアー部７が歯合している。この第２ギアー部７には、その中心部に長円形（トラック形状）の開口部７ａが形成されており、この開口部７ａには、前記回転ダンパー６の回動軸１３が係止している。このような構成によって第２ギアー部７は、回転ダンパー６の回動軸１３をそのまま第２ギアー部７自体の回動軸として、回転ダンパー６に対して回動可能に取り付けられている。
【００１８】
回転ダンパー６は、円盤状のハウジング１４と、このハウジング１４から一端側が突出した前記回動軸１３と、該ハウジング１４に形成された一対の取付板１６ｄとを備えたもので、取付板１６ｄに形成された取付孔（図示せず）により、基板４にネジ止めされたものである。すなわち、この回転ダンパー１３は、図４に示すように前記回動軸１３の一部を突出させた状態で、これをハウジング１４内に回動可能に保持したものである。
【００１９】
ハウジング１４内には、図５の側断面図に示すように、円環状のリング部（被摺動部）１５が形成されている。ここで、ハウジング１４は、図５、及び図６の分解斜視図に示すように、ハウジング本体１６とこのハウジング本体１６に一体に係止するカバー１７とからなるもので、硬質の合成樹脂等によって形成されたものである。ハウジング本体１６は、略円盤状の底板１６ａと、この底板１６ａの一方の面（内面）に一体に形成された円筒状の係合筒部１６ｂと、この係合筒部１６ｂの中心部において前記底板１６ａに一体に形成された円柱状の係合凸部１６ｃと、底板１６ａの側部に張り出した状態で形成された一対の取付板１６ｄ、１６ｄと、からなるものである。
【００２０】
底板１６ａには、図５に示すようにその一方の面（内面）に係合突起１６ｅが複数設けられている。この係合突起１６ｅは、後述するリング部に係合することにより、このリング部が回動してしまうのを防止するためのものである。
係合筒部１６ｂには、その外周側に係合環１８が外挿され、溶着又は接着等によって係合筒部１６ｂに一体に取り付けられている。この係合環１８には、前記底板１６ａ側に係合凹部１８ａが形成されている。なお、この係合環１８については、前記係合筒部１６ｂの一部、すなわち一体成型品としてのハウジング本体１６の一部として形成してもよい。また、係合凹部１８ａに代えて、螺子部を形成してもよい。
取付部１６ｄには、図６に示すように取付孔１６ｆが形成されており、これら取付孔１６ｆ、６ｆに螺子等が嵌め込まれることにより、ハウジング本体１６は、前記基板４取り付け固定されたものとなっている。
【００２１】
カバー１７は、有蓋円筒状のもので、図５に示すようにその円筒部１７ａの内周面に形成された係合部１７ｂが、前記ハウジング本体１６の係合環１８、さらにその係合凹部１８ａに係合することにより、ハウジング本体１６に一体に係止したものである。なお、係合環１８に係合凹部１８ａではなく螺子部を形成した場合には、カバー１７にも前記係合部１７ｂに螺子部を形成しておき、カバー１７と前記係合環１８（ハウジング本体１６）とを螺合によって一体化する。また、このカバー１７には、図６に示すようにその蓋部１７ｃの中心部に、円形の開口部１７ｄが形成されている。このような構成のもとにハウジング１４は、その内部に収容空間を形成したものとなっている。
【００２２】
このハウジング１４内、すなわちその収容空間には、円環状のリング部材１９が設けられており、これによって前記のリング部１５（図５参照）が形成されている。リング部材１９は、シリコンゴムなどの、軟質の合成樹脂（エラストマー）又は軟質ゴムからなるもので、弾性変形可能に形成されたものであり、本考案における当接部となるものである。ここで、このリング部材１９としては、その内面及び／又は外面にフッ素樹脂や金属等のコーティングがなされ、該リング部材１９自体を気体（空気）が透過してしまうのが抑えられた構造であってもよい。
【００２３】
このリング部材１９は、タイヤ形状や浮き袋形状に似た円環状のもので、図５に示すように内部に空洞部１９ａを有し、その一方の側（前記底板１６ａ側）を円周方向に沿って開口したものである。また、このリング部材１９は、図６に示すように未使用状態では、その他方の側（前記底板１６ａと反対の側）が、側断面視した状態で半円状（半球面状）に湾曲して形成されている。また、リング部材１９には、図５に示すように前記開口部１９ｂの両側（外側及び内側）にそれぞれフランジ部１９ｃが形成されている。
【００２４】
そして、リング部材１９の内部孔１９ｄ、すなわちフランジ部１９ｃの内側に形成された内部孔１９ｄが、前記底板１６ａの係合凸部１６ｃに外挿し係合している。ここで、内部孔１９ｄを形成する内側のフランジ部１９ｃの側端面は、係合凸部１６ｃに密着した状態で当接させられており、外側のフランジ部１９ｃの側端面も、前記係合筒部１６ｂの内面に密着した状態で当接させられている。さらに、これら両側のフランジ部１９ｃは、その底面が底板１６ａの内面に当接し密着させられている。
【００２５】
このような構成のもとにリング部材１９は、その内部に空気（気体）を封入した状態で、ハウジング本体６の底板６ａなどに対して気密に接合されたものとなっている。そして、これによりリング部材１９は、ハウジング本体１６の底板１６ａなどとともに、リング部１５を構成している。なお、リング部材１９のフランジ部１９ｃ側には複数の係合凹部（図示せず）が形成されており、これら係合凹部が前記底面１６ａの係合突起１６ｅと係合することにより、前述したようにリング部材１９は、ハウジング本体１６に対してその円周方向に回動することなく固定されたものとなっている。
【００２６】
また、ハウジング１４内、すなわちその収容空間には、前述したように回動軸１３の残部が収容されている。回動軸１３は、その一端側がハウジング１４より突出した軸体１３ａと、該軸体１３ａの他端側に一体に形成されて、前記したようにハウジング１４内に収容された摺動部２０とからなるもので、合成樹脂や合成ゴム等によって形成されたものである。摺動部２０は、図６に示すように円盤状のもので、その中央部に前記軸体１３ａを形成したものである。また、この摺動部２０は、図５に示したように前記リング部１５のリング部材１９に対して摺動可能に当接したもので、軸体１３ａを形成した側と反対の側の面を、リング部材１９に当接する摺動面２０ａとしたものである。
【００２７】
一方、この摺動面２０ａと反対の側の面には、その外周部に、円環状の膨出部２０ｂが形成されている。この膨出部２０ｂは、その側断面形状が略半円状となるように形成されたもので、前記カバー１７の内面に摺動可能で、かつ気密に当接している。このような構成によって膨出部２０ｂは、カバー１７とは面で接触することなく、ほとんど線に近い状態で接触したものとなっている。したがって、後述するようにハウジング１４に対して回動軸１３が回動させられた際、膨出部２０ｂはカバー１７の内面に摺動することで摩擦を生じるものの、ここで生じる摩擦抵抗は小さくなるようになっている。また、膨出部２０ｂとカバー１７の内面とが気密に当接していることにより、ハウジング１４内における、前記膨出部２０ｂとカバー１７の内面との当接箇所の外側の空間が、摺動部２０とハウジング１４とによって気密に構成されたものとなっている。したがって、この気密に構成された空間からは、空気が抜けないようになっていると同時に、この気密空間に、前記カバー１７の開口部１７ｄから例えば異物などが入り込まないようになっている。
【００２８】
前記軸体１３ａは、円柱状のもので、その先端（一端）側が前記カバー１７の開口部１７ｄから外側に突出させられたものであり、前述したようにこの突出した部分には、第２ギアー７の開口部７ａが回動不能に嵌合されている。すなわち、軸体１３ａの先端部はＩカットされた形状となっており、この軸体１３ａの先端部が第２ギアー７の開口部７ａに嵌合させられたことにより、回り止めがなされている。
【００２９】
このような構成のもとに回転ダンパー６は、回動軸１３の軸体１３ａを回動させると、その摺動部２０がリング部１５の当接部、すなわちリング部材１９の上面部に対して摺動することで摩擦を生じ、これによって軸体１３ａ（回動軸１３）にトルクを発生し、前記第２ギアー７、さらにはこれに歯合する第１ギアー５に対してダンパー機能を発揮する。その際、リング部１５はその内部に空気が封入されていることから、リング部材１９の弾性変形に伴う弾性復帰力と、内部の気体により生じる一定な内圧とからなる反発力が、前記当接部に対して一定に付与されることにより、前記摺動部２０とリング部材１９との間の摺動による摩擦力がリング部１５の全周に亘って一定となる。
【００３０】
したがって、この回転ダンパー６にあっては、一定のダンパー機能を発揮することができ、これにより後述するように第２ギアー７、第１ギアー５を介して開閉部材３に一定のトルクを付与することができる。
また、リング部１５内には空気（気体）を封入しているので、たとえこれが漏れても他の部材を汚すなどといった不都合がなく、したがってシール部材が不要となり、さらにはオイル等の粘性流体の注入工程も不要となる。したがって、この回転ダンパー６の組立性、生産性が大幅に向上することから、開閉ユニット１自体の生産性も向上する。
【００３１】
また、膨出部２０ｂとカバー７の内面とを気密に当接させていることにより、ハウジング１４内における、前記膨出部２０ｂとカバー７の内面との当接箇所の外側の空間を、摺動部２０とハウジング１４とによって気密に構成しているので、前記リング部１５の内部に封入した空気の、リング部１５の外側への洩れを良好に抑制し、これによりリング部１５による摩擦力を長期に亘って安定して生じさせることができる。
【００３２】
また、前記基板４には、図１（ａ）、（ｂ）に示したように、前記第１ギアー５側の側面部に二つのストッパー２１ａ、２１ｂが設けられている。これら第１ストッパー２１ａ及び第２ストッパー２１ｂは、前記第１ギアー５の回動範囲を所定範囲に規制するためのものである。すなわち、第１ストッパー２１ａは、図１（ａ）中二点鎖線で示すように、略扇形状に形成された第１ギアー５の一方の側辺部５ｂ側に当接する位置に形成されたものであり、第２ストッパー２１ｂは、図１（ａ）中実線で示すように、略扇形状に形成された第１ギアー５の他方の側辺部５ｃ側に当接する位置に形成されたものである。このような構成のもとに第１ギアー５は、その回動範囲が軸９を中心にして９０°となっている。したがって、この開閉ユニット１は、第１ギアー５に接続する開閉部材（回動部材）３を、９０°の回動角で開閉するようになっている。
【００３３】
このような構成からなる開閉ユニット１は、図２（ｂ）に示したように、筐体（固定部材）２の一方の側板２ａに基板４側が取り付けられ、その第１ギアー５の第２係合部１１に開閉部材（回動部材）３が取り付けられたことにより、これら筐体２と開閉部材３とからなる開閉装置に取り付けられている。
筐体２には、前記側板２ａと反対の側の側板に軸（図示せず）が取り付けられ、開閉部材３は、前記開閉ユニット１と前記軸とにそれぞれ取り付けられたことにより、これらの間に架け渡されたものとなっている。
【００３４】
また、開閉部材３には、その両端部にアーム３ａ、３ｂが取り付けられており、これらアーム３ａ、３ｂがそれぞれ前記開閉ユニット１あるいは前記軸とに取り付けられたことにより、開閉部材３は筐体２に開閉可能に保持されたものとなっている。さらに、筐体２と開閉部材３との間には、筐体２の底面側に公知のロック機構２２が設けられている。このロック機構２２は、例えばハートカムを用いたプッシュ−プッシュ方式のもので、開閉部材３をそのロック機構２２の近傍で押圧することにより、ロックがなされ、さらにもう一回押圧することにより、ロックが解除されるような構成のものである。ただし、このようなプッシュ−プッシュ方式のもの以外にも、種々のロック機構が採用可能であるのはもちろんである。
【００３５】
次に、このような開閉装置における前記開閉ユニット１の動作について説明する。
まず、通常時には、図７（ａ）に示すように筐体２に対して開閉部材３が閉じられ、その状態でロック機構２２によってロックされた初期状態となっている。なお、開閉部材３は、その一方のアーム３ａに形成された第１係合部（図示せず）が、前記開閉ユニット１の第２係合部１１に係合し、他方のアーム３ｂが、軸２３に取り付けられたことにより、前記したように筐体２に開閉可能に保持されている。
【００３６】
また、この初期状態では、第１ギアー５は第１ストッパー２１ａに当接し、これによって開閉部材３は、図７（ａ）中の矢印Ｃ方向への回動がそれ以上なされないようになっている。そして、この初期状態において開閉ユニット１は、前述したようにその付勢部材８が、第１ギアー５を介して開閉部材３を、図７（ａ）中の矢印Ｄ方向に回動させるように付勢している。なお、図７（ａ）、及び後述する図７（ｂ）〜（ｄ）においては、見やすくするため付勢部材８の記載を省略している。
【００３７】
この初期状態から開閉部材３を開きたいときには、単に開閉部材３の、前記ロック機構２２の近傍を押圧する。すると、このロック機構２２によるロックが解除され、前記付勢部材８の付勢力によって第１ギアー５が回動し、これによって図７（ｂ）〜（ｄ）に示すように開閉部材３が自動的に回動し、筐体２の開口部（図示せず）を開く。その際、第１ギアー５には第２ギアー７が歯合し、この第２ギアー７は回転ダンパー６の回転軸１３に連結していることから、この回転ダンパー６によって回転軸１３に付与されたトルクがそのまま第２ギアー７、第１ギアー５に伝達され、前記付勢部材８による第１ギアー５の回動速さが制限される。したがって、この第１ギアー５に接続された開閉部材３も、その開き動作が回転ダンパー６によって制限され、これにより開閉部材３は開閉ユニット１によって予め設定された速さで開くようになる。
このようにして開閉部材３が回動し、開くと、図７（ｄ）に示した状態で、第１ギアー５の側辺部が第２ストッパー２１ｂに当接し、これによってその回動が停止させられる。
【００３８】
また、開閉部材３を開き、所望の操作等を行った後、再度開閉部材３を閉じる場合には、図７（ｄ）、（ｃ）、（ｂ）の順に開閉部材３の前記ロック機構２２側を手で引き下げ、さらに図７（ａ）に示したように開閉部材３を閉じてロック機構２２をロックする。その際、前述したように第１ギアー５には第２ギアー７を介して回転ダンパー６に連結していることから、開閉部材３の閉じ動作（回動動作）に対しても、付勢部材８による付勢力に加えて回転ダンパー６によるトルクが付加される。したがって、開閉部材３を閉じる際に多少の抵抗（重さ）があることから、開閉部材３が過剰な速さで力で閉じられることにより、強い衝撃を生じるなどの不都合が回避される。
【００３９】
このような開閉装置に用いられる開閉ユニット１にあっては、基板４上に第１ギアー５を配設し、該第１ギアー５に対して付勢力を作用させた状態で付勢部材８を前記基板４上に配設し、さらに該第１ギアー５に対し第２ギアー７及び回転軸１３を介して接続する回転ダンパー６を前記基板４上に配設しているので、例えば筐体（固定部材）２に基板４を取り付け、開閉部材（回動部材）３に第１ギアー５を接続するだけで、回転ダンパー６等からなる開閉機構の組み込みを行うことができる。したがって、これら筐体２と開閉部材３とを備えた開閉装置に対する開閉機構の組立を極めて容易にし、これにより開閉装置の生産性を向上してその生産コストの低減化を図ることができる。
【００４０】
また、予め付勢部材８の付勢力や回転ダンパー６によるトルクの付与量を調整しておくことにより、開閉部材３の開き動作や閉じ動作を予め設定した通りの速さやトルクでなさせることができる。したがって、この開閉ユニットが取り付けられる製品に対し、高級感を付与することができる。
【００４１】
なお、本考案は前記実施形態に限定されることなく、本考案の要旨を逸脱しない範囲で種々の変更が可能である。例えば、前記実施形態では筐体２に基板４を取り付け、開閉部材（回動部材）３に第１ギアー５を接続したが、逆に、筐体２に第１ギアー５を接続し、開閉部材（回動部材）３に基板４を取り付けるようにしてもよい。
また、回転ダンパーについても、前記のものに限定されることなく、トルク量を変化させつつ付与できるタイプのものや、従来の一般的なオイルダンパーなどを用いることもできる。
さらに、前記実施形態では本考案の開閉ユニットを、テレビ等の電化製品における操作部を収容する開閉装置に適用した場合について説明したが、これ以外にも、例えば車載用としてカーオーディオ装置の蓋（回動部材）などや、さらにはプリンター・スキャナー操作パネル、飛行機・新幹線の席についているトレイなど、種々の開閉装置に適用が可能である。
【図面の簡単な説明】
【００４２】
【図１】本考案の開閉ユニットの一実施形態の、概略構成を示す図であり、（ａ）は斜視図、（ｂ）は平面図である。
【図２】図１に示した開閉ユニットを用いた開閉装置の一例を示す図であり、（ａ）は斜視図、（ｂ）は内部を透視した斜視図である。
【図３】（ａ）は図１（ｂ）のＡ−Ａ線矢視側面図、（ｂ）は図１（ｂ）のＢ−Ｂ線矢視側面図である。
【図４】回転ダンパーの斜視図である。
【図５】回転ダンパーの側断面図である。
【図６】回転ダンパーの分解斜視図である。
【図７】（ａ）〜（ｄ）は図２に示した開閉装置の動作を説明するための図である。
【符号の説明】
【００４３】
１…開閉ユニット、２…筐体（固定部材）、３…開閉部材（回動部材）、４…基板、５…第１ギアー、６…回転ダンパー、７…第２ギアー、８…付勢部材、１１…第２係合部、１２…当接軸、１３…回動軸、２１ａ、２１ｂ…ストッパー、２２…ロック機構
【図１】
0003128787.tif 000003
【図２】
0003128787.tif 000004
【図３】
0003128787.tif 000005
【図４】
0003128787.tif 000006
【図５】
0003128787.tif 000007
【図６】
0003128787.tif 000008
【図７】
0003128787.tif 000009